【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
光ディスクにレーザ光を照射し変色層を変色させて、複数の画素により構成される画像を形成する光ディスク画像形成装置であって、
セットされた光ディスクを回転させる回転部と、前記光ディスクの半径方向に移動可能なレーザ光照射部と、を備えた光ディスクドライブと、
前記光ディスク上に複数の画素エリアを設定して、それぞれ所定の書き込み濃度を割り当て、各画素エリアに対してその書き込み濃度に対応する回数またはその濃度に対応する時間、レーザ光を照射するように前記光ディスクドライブを制御する制御部と、を備え、
前記制御部は、割り当てた書き込み濃度が中間調の書き込み濃度の場合には、その中間調の書き込み濃度を割り当てた書き込み濃度よりも濃くなるように補正することを特徴とする光ディスク画像形成装置。
【請求項２】
前記制御部は、前記書き込み濃度を補正するための係数を、ある画素エリアを形成するためにレーザ光を通過させる回数または時間に応じた値とする請求項１に記載の光ディスク画像形成装置。
【請求項３】
前記制御部は、前記画素エリアを中心角及び半径方向の長さである画素長で規定するとともに、複数の画素エリアを半径方向に前記画素長よりも短い間隔で重なり合わせる請求項１または２に記載の光ディスク画像形成装置。
【請求項４】
セットされた光ディスクを回転させる回転部と、前記光ディスクの半径方向に移動可能なレーザ光照射部と、を備えた光ディスクドライブを有する光ディスク画像形成装置が、光ディスクにレーザ光を照射し変色層を変色させて、複数の画素により構成される画像を形成する光ディスク画像形成方法であって、
前記光ディスク上に複数の画素エリアを設定する手順、
前記画素エリアのそれぞれに所定の書き込み濃度を割り当てる手順、
割り当てた書き込み濃度が中間調の書き込み濃度の場合には、その中間調の書き込み濃度を、割り当てた書き込み濃度よりも濃くなるように補正する補正手順、
各画素エリアに対して、前記補正手順で補正した書き込み濃度に対応する回数またはその濃度に対応する時間、レーザ光を照射するように制御条件を設定する手順、
前記制御条件に基づいて、セットされた光ディスクを前記回転部で回転させながら、前記光ディスクの半径方向に、前記レーザ光照射部を移動させてレーザ光を照射する手順、
を備えたことを特徴とする光ディスク画像形成方法。
【手続補正２】
【補正対象書類名】明細書
【補正対象項目名】０００６
【補正方法】変更
【補正の内容】
【０００６】
（１）光ディスクにレーザ光を照射し変色層を変色させて、複数の画素により構成される画像を形成する光ディスク画像形成装置であって、
セットされた光ディスクを回転させる回転部と、前記光ディスクの半径方向に移動可能なレーザ光照射部と、を備えた光ディスクドライブと、
前記光ディスク上に複数の画素エリアを設定して、それぞれ所定の書き込み濃度を割り当て、各画素エリアに対してその書き込み濃度に対応する回数またはその濃度に対応する時間、レーザ光を照射するように前記光ディスクドライブを制御する制御部と、を備え、
前記制御部は、割り当てた書き込み濃度が中間調の書き込み濃度の場合には、その中間調の書き込み濃度を割り当てた書き込み濃度よりも濃くなるように補正することを特徴とする。
【手続補正３】
【補正対象書類名】明細書
【補正対象項目名】０００７
【補正方法】変更
【補正の内容】
【０００７】
この構成においては、光ディスク画像形成装置は、光ディスクの変色層に画像を形成する際には、所定の中心角と、所定の半径方向の長さである画素長と、で規定される画素エリアに、各画素エリアに割り当てた書き込み濃度に対応する回数またはその濃度に対応する時間、レーザ光を照射して、所定濃度の画像（複数の画素）を形成する処理を行う。このとき、元の画像を該所定の濃度（階調）で光ディスクに形成すると、元の画像と光ディスクに形成した画像とでは、濃度が異なって見えてしまう。そのため、光ディスク画像形成装置は、濃度変化を補償するために、中間調の書き込み濃度を割り当てた書き込み濃度よりも濃くなるように補正する。これにより、光ディスクに形成した画像を元の画像と同様の見え方にすることができる。
【手続補正４】
【補正対象書類名】明細書
【補正対象項目名】０００９
【補正方法】変更
【補正の内容】
【０００９】
この構成においては、中間調の書き込み濃度を割り当てた書き込み濃度よりも濃くなるように補正するための係数を、ある画素エリアを形成するためにレーザ光を通過させる回数または時間に応じた値とする。これにより、画像濃度を適正に補正することができ、光ディスクに形成した画像を元の画像と同様の見え方にすることができる。
【手続補正５】
【補正対象書類名】明細書
【補正対象項目名】００１２
【補正方法】変更
【補正の内容】
【００１２】
（４）セットされた光ディスクを回転させる回転部と、前記光ディスクの半径方向に移動可能なレーザ光照射部と、を備えた光ディスクドライブを有する光ディスク画像形成装置が、光ディスクにレーザ光を照射し変色層を変色させて、複数の画素により構成される画像を形成する光ディスク画像形成方法であって、
前記光ディスク上に複数の画素エリアを設定する手順、
前記画素エリアのそれぞれに所定の書き込み濃度を割り当てる手順、
割り当てた書き込み濃度が中間調の書き込み濃度の場合には、その中間調の書き込み濃度を、割り当てた書き込み濃度よりも濃くなるように補正する補正手順、
各画素エリアに対して、前記補正手順で補正した書き込み濃度に対応する回数またはその濃度に対応する時間、レーザ光を照射するように制御条件を設定する手順、
前記制御条件に基づいて、セットされた光ディスクを前記回転部で回転させながら、前記光ディスクの半径方向に、前記レーザ光照射部を移動させてレーザ光を照射する手順、
を備えたことを特徴とする。
【手続補正６】
【補正対象書類名】明細書
【補正対象項目名】００１４
【補正方法】変更
【補正の内容】
【００１４】
本発明の光ディスク画像形成装置は、光ディスクに形成する画像の中間調の書き込み濃度を、割り当てた書き込み濃度よりも濃くなるように補正するので、元の画像と同様の見え方の画像を光ディスク上に形成することができる。
【手続補正７】
【補正対象書類名】明細書
【補正対象項目名】００４４
【補正方法】変更
【補正の内容】
【００４４】
＜視覚特性の補正＞
上記のようにレーザ光の強度を周回毎に切り替えて、画素を形成することで、濃淡のある画像を形成することができる。しかしながら、元の画像の濃度（階調）で光ディスク２００に形成すると、元の画像と光ディスク２００に形成した画像とでは、濃度が異なって見えてしまう。すなわち、画像の中間調の部分が白っぽくなってしまう。
【手続補正８】
【補正対象書類名】明細書
【補正対象項目名】００４８
【補正方法】変更
【補正の内容】
【００４８】
実験の結果、
（補正後の濃度）＝（補正前の濃度）α  （αは、視覚特性値）‥‥（式１）
という図４に示すような関係に基づいて画像の中間調の書き込み濃度を補正前の濃度よりも濃く（黒っぽく）なるように補正すると、光ディスクに形成した画像が元の画像と同様に見えることがわかった。また、光ディスクに画像を形成する際に、同じ領域にレーザ光を照射する周回数と、視覚特性値αと、の間には、図５に示すような関係があることがわかった。
【手続補正９】
【補正対象書類名】明細書
【補正対象項目名】００４９
【補正方法】変更
【補正の内容】
【００４９】
図６は、１６階調の画像を形成する場合の補正前の濃度及び補正後の濃度を示した表である。例えば、前記のように１行分の画素を形成するのに１５周回要する場合、つまり１６階調の画像を形成する場合には、図５に示すように視覚特性値α＝１．５５にすると良い。例えば、階調データが（１０１０）の場合、階調データの十進値は１０なので、図６に示すように、元の画像の濃度は（１０／１５）＝（０．６６７）である。しかし、この濃度で光ディスク２００に画像を形成すると、元の画像よりも濃度が薄く見えてしまう。そこで、視覚特性値を用いて、中間調の書き込み濃度を補正前の濃度よりも濃くなるように補正する。すなわち、前記の式１に基づいて濃度を補正すると、図６に示すように（１０／１５）１．５５＝０．５３３となり、光ディスク２００に形成する画像の濃度を０．５３３にすると良いことがわかる。ここで、階調データが（１０００）の場合、濃度は（８／１５）＝（０．５３３）である。したがって、元の画像の階調データが（１０１０）の場合、階調データを（１０００）に補正することで、光ディスク２００に形成した画像の見え方を、元の画像の見え方と同様にすることができる。